(57)【要約】【課題】さらなる省電力化を図ったネットワーク装置を提供する。【解決手段】複数のポート２と、ポート２毎に設けられた複数の送受信制御部３と、送受信制御部３に搭載され、対応するポート２との間でリンク確認信号を送受信し当該ポート２のリンク状態を検出するリンク状態検出部４と、リンク状態検出部４でリンク断を検出したとき、当該リンク状態検出部４にリンク確認信号の送信を予め設定した待機時間の間停止させる省電力制御部６と、を備えた。【選択図】図１
2016220069.tif 000002
【特許請求の範囲】
【請求項１】
複数のポートと、
前記ポート毎に設けられた複数の送受信制御部と、
前記送受信制御部に搭載され、対応する前記ポートとの間でリンク確認信号を送受信し当該ポートのリンク状態を検出するリンク状態検出部と、
前記リンク状態検出部でリンク断を検出したとき、当該リンク状態検出部にリンク確認信号の送信を予め設定した待機時間の間停止させる省電力制御部と、を備えた、
ネットワーク装置。
【請求項２】
前記省電力制御部は、前記リンク状態検出部でリンク断を検出したとき、当該リンク状態検出部が搭載された前記送受信制御部の作動を前記待機時間の間停止させるように構成される、
請求項１に記載のネットワーク装置。
【請求項３】
前記省電力制御部は、前記送受信制御部を構成する物理層ＬＳＩをシャットダウンすることで、前記送受信制御部の作動を前記待機時間の間停止させるように構成される、
請求項２に記載のネットワーク装置。
【請求項４】
前記物理層ＬＳＩが複数の前記送受信制御部を構成しているとき、前記省電力制御部は、当該物理層ＬＳＩが構成する前記送受信制御部に対応する前記ポートの全てでリンク断が検出されたとき、当該物理層ＬＳＩをシャットダウンするように構成される、
請求項３に記載のネットワーク装置。
【請求項５】
前記リンク状態検出部は、リンク確認信号の送信後、所定時間内に応答のリンク確認信号を受信しない回数が予め設定された閾値回数以上となったとき、リンク断を検出するように構成される、
請求項１乃至４の何れか１項に記載のネットワーク装置。
【請求項６】
前記リンク確認信号の送信を連続して停止させる回数が大きくなるほど、前記待機時間が長くなるように設定されている、
請求項１乃至５の何れか１項に記載のネットワーク装置。
【発明の詳細な説明】
【技術分野】
【０００１】
本発明は、ネットワーク装置に関する。
【背景技術】
【０００２】
スイッチングハブ（ネットワークスイッチ、スイッチ）等のネットワーク装置として、複数のポートと、ポート毎に設けられた複数の送受信制御部と、送受信制御部に搭載され、対応するポートとの間でリンク確認信号を送受信し当該ポートのリンク状態を検出するリンク状態検出部と、を備えたものが知られている。
【０００３】
従来のネットワーク装置では、リンク確認信号を全てのポートから常時送信しており、任意のポートに機器が接続され当該機器から応答のリンク確認信号を受信したときに、リンクが確立したと判断し通信等を行うように構成されている。
【０００４】
スイッチングハブにおいては、複数の送受信制御部が通信制御部（通信制御ＬＳＩ、スイッチングＬＳＩ）に接続されており、この通信制御部にてポート間の中継処理が行われる。
【０００５】
特許文献１では、通信制御部に接続されている全てのポートで一定期間データ入力が検出されないときに、当該通信制御部への電力供給を停止することで、省電力化を図ったネットワーク装置が提案されている。
【先行技術文献】
【特許文献】
【０００６】
【特許文献１】特許第３３１９４２０号公報
【発明の概要】
【発明が解決しようとする課題】
【０００７】
しかしながら、特許文献１のネットワーク装置では、通信制御部に複数のポートが対応しているため、そのうち１つのポートで通信が行われていれば通信制御部をシャットダウンすることができず、十分な省電力の効果が得られないおそれがある、という問題があった。この問題は、特に通信制御部に対応するポート数が多い場合に顕著である。
【０００８】
そこで、本発明の目的は、上記課題を解決し、さらなる省電力化を図ったネットワーク装置を提供することにある。
【課題を解決するための手段】
【０００９】
本発明は、上記課題を解決することを目的として、複数のポートと、前記ポート毎に設けられた複数の送受信制御部と、前記送受信制御部に搭載され、対応する前記ポートとの間でリンク確認信号を送受信し当該ポートのリンク状態を検出するリンク状態検出部と、前記リンク状態検出部でリンク断を検出したとき、当該リンク状態検出部にリンク確認信号の送信を予め設定した待機時間の間停止させる省電力制御部と、を備えた、ネットワーク装置を提供する。
【発明の効果】
【００１０】
本発明によれば、さらなる省電力化を図ったネットワーク装置を提供できる。
【図面の簡単な説明】
【００１１】
【図１】本発明の一実施の形態に係るネットワーク装置の概略構成図である。
【図２】本発明において、省電力制御の制御フローを示すフロー図である。
【発明を実施するための形態】
【００１２】
［実施の形態］
以下、本発明の実施の形態を添付図面にしたがって説明する。
【００１３】
図１は、本実施の形態に係るネットワーク装置の概略構成図である。
【００１４】
図１に示すように、ネットワーク装置１は、複数のポート２と、ポート２毎に設けられた複数の送受信制御部３と、送受信制御部３に搭載され、対応するポート２との間でリンク確認信号を送受信し当該ポート２のリンク状態を検出するリンク状態検出部４と、を備えている。
【００１５】
本実施の形態では、ネットワーク装置１が、複数の送受信制御部３が接続されポート２間の中継処理を行う通信制御部（通信制御ＬＳＩ、スイッチングＬＳＩ）５を備えたスイッチングハブ（ネットワークスイッチ、スイッチ）である場合を説明する。
【００１６】
図１では、図の簡略化のため、ポート２を１つ、送受信制御部３を１つ、通信制御部５を１つのみ示しているが、実際には、ネットワーク装置１は、複数系統の通信制御部５を備え、各通信制御部５に複数の送受信制御部３を介して複数のポート２が接続される構成となっている。
【００１７】
ネットワーク装置１では、送受信制御部３のリンク状態検出部４から対応するポート２にリンク確認信号を送信し、そのポート２に機器が接続され当該機器から応答のリンク確認信号（送信したリンク確認信号に対する応答の信号）が得られたときに、リンクが確立したと判断して当該機器と通信等を行うように構成されている。
【００１８】
本実施の形態では、リンク状態検出部４は、リンク確認信号の送信後、所定時間内に応答のリンク確認信号を受信しない回数が予め設定された閾値回数以上となったとき、リンク断を検出するように構成されている。閾値回数としては、２以上の適宜な回数を設定すればよい。
【００１９】
送受信制御部３は、各ポート２の物理的な送受信を制御するものであり、物理層ＬＳＩ（ＰＨＹ−ＬＳＩ）で構成されている。送受信制御部３は、送信時のケーブル伝送に適した符号への変換や、受信時のデータ復元等を行う。
【００２０】
さて、本実施の形態に係るネットワーク装置１は、省電力制御部６をさらに備えている。
【００２１】
省電力制御部６は、リンク状態検出部４でリンク断を検出したとき、当該リンク状態検出部４を制御し、リンク確認信号の送信を予め設定した待機時間の間停止させるものである。省電力制御部６は、ＣＰＵ、メモリ、ソフトウェア等を適宜組み合わせて実現される。
【００２２】
リンク断が検出されているポート２には、通信ケーブルや機器が接続されていないか、あるいは接続されている機器が通信できない状態となっていると考えられるため、当該ポート２にリンク確認信号を送信し続けることは無駄であるといえる。そこで、本実施の形態では、リンク断が検出されているポート２については、リンク確認信号の送信を停止させることで、省電力化を図っている。
【００２３】
省電力制御部６は、リンク状態検出部４にリンク確認信号の送信を停止させた後、予め設定した待機時間が経過したとき、リンク状態検出部４に再びリンク確認信号の送信を開始させるように構成される。この際にリンク断が検出されれば、再びリンク状態検出部４にリンク確認信号の送信を停止させることになる。
【００２４】
ここで、リンク確認信号の送信を連続して停止させる回数（リンクアップを検出することなくリンク確認信号の送信停止と送信再開を繰り返す回数）が大きくなるほど、当該ポート２がリンク状態に復帰する可能性は低くなると考えられる。そこで、本実施の形態では、リンク確認信号の送信を連続して停止させる回数が大きくなるほど、リンク確認信号の送信を停止させる時間、すなわち待機時間が長くなるように設定されている。
【００２５】
省電力制御部６は、例えば、ポート２毎にリンク確認信号の送信を連続して停止させた回数をカウントし、当該カウント数で、予め記憶させておいたカウント数と待機時間との関係を参照して、待機時間を求めるように構成される。なお、待機時間が長くなり過ぎると、通信ケーブルや機器を接続してから通信が開始されるまでの時間が長くなり利便性が低下してしまうため、待機時間は、少なくとも１分以下とされることが望ましい。
【００２６】
本実施の形態では、リンク断が検出されたポート２に対応するリンク状態検出部４を制御して、リンク確認信号の送信を予め設定された待機時間の間停止させるように省電力制御部６を構成したが、さらに、リンク断が検出されたポート２に対応する送受信制御部３の作動を上述の待機時間の間停止させるように省電力制御部６を構成してもよい。これにより、さらなる省電力化を図ることが可能になる。
【００２７】
送受信制御部３の作動を停止させる際には、送受信制御部３を構成する物理層ＬＳＩをシャットダウン（電源供給を停止）すればよい。なお、物理層ＬＳＩが複数の送受信制御部３を構成している場合も考えられるが、このような場合には、任意の物理層ＬＳＩが構成する送受信制御部３に対応するポート２の全てでリンク断が検出されているときに、当該物理層ＬＳＩをシャットダウンするように省電力制御部６を構成すればよい。
【００２８】
この場合、省電力制御部６は、送受信制御部３の作動を停止させた（物理層ＬＳＩをシャットダウンした）後、予め設定した待機時間が経過したとき、送受信制御部３の作動を開始（物理層ＬＳＩへの電源供給を開始）させ、リンク状態検出部４に再びリンク確認信号の送信を開始させるように構成される。この際にリンク断が検出されれば、再び送受信制御部３の作動を停止させる（物理層ＬＳＩをシャットダウンする）ことになる。
【００２９】
次に、ネットワーク装置１における省電力制御の制御フローについて説明する。ネットワーク装置１では、各ポート２に対して図２の制御フローが実行される。
【００３０】
図２に示すように、まず、ステップＳ１にて、変数ｎに初期値０を代入し、ステップＳ２にて、リンク状態検出部４が対応するポート２にリンク確認信号を送信する。その後、ステップＳ３にて、リンク状態検出部４が所定時間内に応答のリンク確認信号を受信したかを判定する。ステップＳ３にてＹＥＳと判定された場合、対応するポート２はリンクアップされていることになるため、ステップＳ１に戻る。
【００３１】
ステップＳ３にてＮＯと判定された場合、ステップＳ４にて変数ｎをインクリメントし、ステップＳ５にて、リンク状態検出部４が変数ｎが予め設定された閾値回数ｘ以上かを判定する。ステップＳ５にてＮＯと判定された場合、ステップＳ２に戻る。
【００３２】
ステップＳ５にてＹＥＳと判定された場合、すなわち、リンク確認信号の送信後、所定時間内に応答のリンク確認信号を受信しない回数ｎが閾値回数ｘ以上となったとき、ステップＳ６にて、リンク状態検出部４がリンク断を検出する。
【００３３】
リンク状態検出部４がリンク断を検出すると、ステップＳ７にて、省電力制御部６が、リンク状態検出部４にリンク確認信号の送信を停止させ（あるいは送受信制御部３の作動を停止させ）、ステップＳ８にて、予め設定された待機時間が経過するまで待機する。すなわち、待機時間の間、リンク確認信号の送信を停止させた状態（あるいは送受信制御部３の作動を停止させた状態）を保持する。
【００３４】
その後、ステップＳ９にて、省電力制御部６が、リンク状態検出部４にリンク確認信号の送信を再開させ（あるいは送受信制御部３の作動を開始させ）、ステップＳ１に戻る。
【００３５】
（実施の形態の作用及び効果）
以上説明したように、本実施の形態に係るネットワーク装置１は、リンク状態検出部４でリンク断を検出したとき、当該リンク状態検出部４にリンク確認信号の送信を予め設定した待機時間の間停止させる省電力制御部６を備えている。
【００３６】
省電力制御部６を備えることにより、リンク断が検出されているポート２に対しては、リンク確認信号の送信を停止させることが可能となり、ネットワーク装置１の消費電力を低減し、省電力化を実現することが可能になる。本実施の形態では、リンク断の検出によりリンク確認信号の送信を停止させるため、例えば、ポート２に通信ケーブルの一端が接続されているにもかかわらず通信ケーブルの他端に機器が接続されていない場合、あるいは、通信ケーブルの他端に接続された機器が通信できない状態となっている場合にも、リンク確認信号の送信を停止させて省電力化を図ることが可能である。
【００３７】
本実施の形態では、ポート２毎にリンク確認信号の送信・停止を制御できるため、対応するポート２の全てが未使用でないと省電力効果が得られない従来技術（特許文献１参照）と比較して、確実に省電力化の効果を得ることが可能である。また、頻繁に通信ケーブルの接続の変更が行われるような場合であっても、リンク断となるポート２が存在すれば常に一定の省電力効果を得ることが可能である。
【００３８】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００３９】
［１］複数のポート（２）と、前記ポート毎（２）に設けられた複数の送受信制御部（３）と、前記送受信制御部（３）に搭載され、対応する前記ポート（２）との間でリンク確認信号を送受信し当該ポート（２）のリンク状態を検出するリンク状態検出部（４）と、前記リンク状態検出部（４）でリンク断を検出したとき、当該リンク状態検出部（４）にリンク確認信号の送信を予め設定した待機時間の間停止させる省電力制御部（６）と、を備えた、ネットワーク装置（１）。
【００４０】
［２］前記省電力制御部（６）は、前記リンク状態検出部（４）でリンク断を検出したとき、当該リンク状態検出部（４）が搭載された前記送受信制御部（３）の作動を前記待機時間の間停止させるように構成される、［１］に記載のネットワーク装置（１）。
【００４１】
［３］前記省電力制御部（６）は、前記送受信制御部（３）を構成する物理層ＬＳＩをシャットダウンすることで、前記送受信制御部（３）の作動を前記待機時間の間停止させるように構成される、［２］に記載のネットワーク装置（１）。
【００４２】
［４］前記物理層ＬＳＩが複数の前記送受信制御部（３）を構成しているとき、前記省電力制御部（６）は、当該物理層ＬＳＩが構成する前記送受信制御部（３）に対応する前記ポート（２）の全てでリンク断が検出されたとき、当該物理層ＬＳＩをシャットダウンするように構成される、［３］に記載のネットワーク装置（１）。
【００４３】
［５］前記リンク状態検出部（４）は、リンク確認信号の送信後、所定時間内に応答のリンク確認信号を受信しない回数が予め設定された閾値回数以上となったとき、リンク断を検出するように構成される、［１］乃至［４］の何れかに記載のネットワーク装置（１）。
【００４４】
［６］前記リンク確認信号の送信を連続して停止させる回数が大きくなるほど、前記待機時間が長くなるように設定されている、［１］乃至［５］の何れかに記載のネットワーク装置（１）。
【００４５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４６】
本発明は、その趣旨を逸脱しない範囲で適宜変形して実施することが可能である。
【００４７】
例えば、上記実施の形態では、ネットワーク装置１がスイッチングハブである場合を説明したが、これに限らず、本発明は、リンク確認信号を送信する機能を有する送受信制御部３を備えるものであれば適用可能である。
【００４８】
また、上記実施の形態では言及しなかったが、本発明はリンク確認信号を送信するポート２であれば適用可能となるため、通常の通信用のポート２だけでなく、ネットワーク装置１を管理するための管理ポートにも本発明は適用可能である。
【符号の説明】
【００４９】
１…ネットワーク装置
２…ポート
３…送受信制御部
４…リンク確認信号送受信部
５…通信制御部
６…省電力制御部
【図１】
2016220069.tif 000003
【図２】
2016220069.tif 000004